(57)【要約】【目的】本発明は雄管端の外周の段落面にゴム輪を嵌付けて雌管端内に嵌入し水封止するようにした接続部において、ゴム輪の捻回や裂断が生じないようにして且つ正確な位置で水封止するようにしたゴム輪の定着構造を新規に提供することを目的とするものである。【構成】本発明はボックスカルバートを含むコンクリート管の雄管端の外周の段落面に段高にて嵌付けるゴム輪において、該ゴム輪の基側前面を段落前面にボルト止め取付けする押え板にて押え止めして雌管端嵌入時に該ゴム輪の捻回や裂断等を防止するようにしたことを特徴とするボックスカルバートなど管接続部におけるゴム輪の定着構造にある。【選択図】        図２
2004286174.tif 000002
【特許請求の範囲】
【請求項１】
ボックスカルバートを含むコンクリート管の雄管端の外周の段落面に段高にて嵌付けるゴム輪において、該ゴム輪の基側前面を段落前面にボルト止め取付けする押え板にて押え止めして雌管端嵌入時に該ゴム輪の捻回や裂断等を防止するようにしたことを特徴とするボックスカルバートなど管接続部におけるゴム輪の定着構造。
【請求項２】
前記ゴム輪の基側前面に突出し環部を設け、該突出し環部を押し込みつつボルト止め取付けする押え板にて該ゴム輪の基側前端を圧縮押え止めする請求項１記載のゴム輪の定着構造。
【請求項３】
前記押え板のゴム輪側に突出面を設け、該突出面にて該ゴム輪の基側前面を押し込みつつボルト止め取付けする押え板にて該ゴム輪の基側前端を圧縮押え止めする請求項１記載のゴム輪の定着構造。
【請求項４】
雄管端の外周の段落面の垂直端面に押え板によるゴム輪の押し込みに伴う基側後端が嵌入する内広傾斜形の受入溝を周設する請求項３または４に記載のゴム輪の定着構造。
【請求項５】
押え板は単一の輪体形または複数の分割体にて形成する請求項１乃至４のいずれかに記載のゴム輪の定着構造。
【発明の詳細な説明】
【０００１】
【発明が属する技術分野】
この発明はボックスカルバートなどコンクリート管の管接続部におけるゴム輪の定着構造に関するものである。
【０００２】
【従来の技術】
ボックスカルバートなどの管接続部は雄管端にゴム輪を嵌付けて雌管端に嵌入し、両管端間の間隙にゴム輪を圧着介在させて水封止するようにしている。
【０００３】
【発明が解決しようとする課題】
しかしながら、雄管端を雌管端内に嵌入するに当って、ゴム輪の一部が捻回したり、これに伴って裂断するなどして所定の位置に正確に圧着介在させることが妨げられているという課題がある。
【０００４】
【課題を解決するための手段】
本発明は、ボックスカルバートを含むコンクリート管の雄管端の外周の段落面に段高にて嵌付けるゴム輪において、該ゴム輪の基側前面を段落前面にボルト止め取付けする押え板にて押え止めするようにし、また前記ゴム輪の基側前面に突出し環部を設け或は押え板のゴム輪側に突出面を設けて、ゴム輪の前面を押し込みつつボルト止め取付けする押え板にて該ゴム輪の基側前端を圧縮押え止めするようにして、以って嵌合時のゴム輪のめくれ剥がれ等の生ずることを防止して、かかる課題を解決するようにしたのである。
【０００５】
【発明の実施の形態】
図１に示すようにコンクリート製ボックスカルバート１の雄管端２の前端部外周面に設ける段落面３にゴム輪４を段高にて嵌着する。
【０００６】
該ゴム輪４は図に示すように、前面に後退形の傾斜面４ａ、前面の中間と上部に切溝４ｂ，４ｃ，４ｄを設け、また中間孔４ｅを設けている。５は上端をゴム輪４側に傾斜させてなる押え板で図２に示すように雄管端２の段落前面６にボルト７止め取付けしてゴム輪４の基側前面を押え止めするようにしたのである。８はインサート取付けしたアンカーナットである。ゴム輪４は基側前面の押え板５と基側後面の垂直端面間に挟まれて固定するので、ゴム輪４を嵌着した雄管端２は図３に示すように雌管端１０内にゴム輪４のめくれ剥がしなどを作らずに嵌入して両管端間の間隙１１にゴム輪４は圧入介在して水封止することとなり、また震動等により両管端間が離れる方向にずれ動いても押え板５によってゴム輪４の抜け動きが押えられて水封止はかわらずに継続されることとなる。
【０００７】
図４は本発明の他の実施例を示すもので、ゴム輪４の基側前面に突出し環部４ｆを設け、押え板５で突出し環部４ｆを押し込みつつ雄管端２の段落前面６にボルト７止め取付けしてゴム輪４の基側前面を押し込み押え止めするようにしたのである。９は段落面３の垂直端面に内広傾斜形にて設けた受入溝で、突出し環部４ｆの押し込みに伴って張出すゴム輪４の基側後部の張出し部４ｇを受入れてゴム輪４の浮き上がりを防止して嵌着をより強化するほか、張出し部４ｇを受入れることによりゴム輪４の外半部の変形を防止させるものとなる。
【０００８】
図５は別の実施例を示すもので、ゴム輪４の基側前面に突出し環部を設けるかわりに押え板５の背面、ゴム輪４側に突出面５ａを設け、この突出面５ａによる圧縮押し込みに伴って張出すゴム輪４の基側後部の張出し部４ｇを受入溝９に受入れさせるようにしてゴム輪４の嵌着を強化し、且つゴム輪４の外半部の変形を防止するようにした点は前例と同じである。
【０００９】
なお押え板５は図６（ａ）に示すように単一の輪体形にて形成するほか、図６（ｂ）に示すように複数枚の分割体にて形成して、一定の間隔を置いてボルト７止め取付けされる。
【００１０】
【発明の効果】
本発明は以上のようにして、雄管端の段落外周面に嵌着するゴム輪の基側前面を押え板のボルト止め取付けにて押え止めするようにしたので、雌管端嵌入時にゴム輪の捻回、裂断等が生ぜずして、所定の位置に圧着して水封止するという効果を生ずる。
【００１１】
ゴム輪に前面突出し形の突出し環部を設け、または押え板のゴム輪側に突出面を設けて、押え板にてゴム輪の基側前面を押し込みつつ取付けするようにするときは、さらにゴム輪の基側を強固に押え止めし、また外周の段落面の垂直端面に内広傾斜の受入溝を設けてゴム輪の基側前面の押し込みによるゴム輪の基側後部の張出し部を嵌入するようにしたので、ゴム輪の嵌着がさらに強化されるとともに、ゴム輪は外半形状をそのままにして、つまりゴム輪の外半部の変形を防止することができるので、ゴム輪の全周は均等に雌管端内面に圧着して安定した水封止をするという効果を生ずる。
【図面の簡単な説明】
【図１】コンクリート製ボックスカルバートの雄管端の段落面にゴム輪を嵌着した状態を示す部分拡大断面図
【図２】同、ボルト止めした押え板にてゴム輪の基側前面を押え止めした状態を示す部分拡大断面
【図３】雄管端を雌管端内に嵌入した状態を示す部分拡大断面図
【図４】（ａ）は突出し環部を設けたゴム輪を雄管端に嵌着した状態を示す部分拡大断面図、（ｂ）押え板にてゴム輪の突出し環部を押し込みつつボルト止めした状態を示す部分拡大断面図
【図５】（ａ）は押え板の背面に突出面を設けた例を示す押え板取付け前の部分拡大断面図、（ｂ）押え板の突出面にてゴム輪の基側前面を押し込みつつボルト止めした状態を示す部分拡大断面図
【図６】（ａ）は押し板を単一の輪体形に形成した取付例を示す正面図、（ｂ）は押し板を複数枚の分割体に形成した取付例を示す正面図
【符号の説明】
１はコンクリート製ボックスカルバート
２は雄管端
３は段落面
４はゴム輪
４ａは後退形の傾斜面
４ｂ，４ｃ，４ｄは切溝
４ｅは中間孔
４ｆは突出し環部
４ｇは後端の張出し部
５は押え板
５ａは突出面
６は段落前面
７はボルト
８はアンカーナット
９は受入溝
１０は雌管端
１１は間隙
【図１】
2004286174.tif 000003
【図２】
2004286174.tif 000004
【図３】
2004286174.tif 000005
【図４】
2004286174.tif 000006
【図５】
2004286174.tif 000007
【図６】
2004286174.tif 000008